(57)【要約】【課題】本発明は、自動検針等で用いるアナログ電話回線用端末網制御装置において、端末発呼通信開始後に回線電圧を監視することにより、デジタル回線への誤接続時の損傷を防止するものである。【解決手段】少なくとも電話回線２との間で送信信号の変調と受信信号の復調を行うモデム手段８と、電話回線２の直流インピーダンスを閉結状態にする閉結制御手段４と、電話回線２の電圧を監視する回線電圧検出手段７を備え、閉結制御手段４動作時に回線電圧検出手段７の電圧が予め設定された所定の電圧に低下したことを検出することで閉結制御動作手段４の動作を継続させ、回線電圧検出手段７の電圧が所定の電圧に低下していない場合は閉結制御動作手段４の動作を中断する閉結動作監視手段１０を備える。【選択図】  図１
2004253857.tif 000002
【特許請求の範囲】
【請求項１】
少なくとも電話回線との間で送信信号の変調と受信信号の復調を行うモデム手段と、前記電話回線の直流インピーダンスを閉結状態にする閉結制御手段と、前記電話回線の電圧を監視する回線電圧検出手段を備え、前記閉結制御手段動作時に前記回線電圧検出手段の電圧が予め設定された所定の電圧に低下したことを検出することで前記閉結制御動作手段の動作を継続させ、前記回線電圧検出手段の電圧が前記所定の電圧に低下しない場合は前記閉結制御動作手段の動作を中断する閉結動作監視手段を備えた制御手段から構成される端末網制御装置。
【請求項２】
回線電圧検出手段の所定電圧の設定値を可変可能に設定する検出レベル選択手段を備えた請求項１記載の端末網制御装置。
【請求項３】
少なくとも電話回線との間で送信信号の変調と受信信号の復調を行うモデム手段と、前記電話回線の直流インピーダンスを閉結状態にする閉結制御手段と、前記閉結制御手段の動作前後の前記電話回線の電圧差を監視する回線電圧差検出手段を備え、前記閉結制御手段動作時に前記回線電圧差検出手段の電圧差が予め設定された所定電圧以上を検出することで前記閉結制御動作手段の動作を継続させ、前記回線電圧差検出手段の電圧差が前記所定の電圧以下の場合は前記閉結制御動作手段の動作を中断する閉結動作監視手段を備えた制御手段から構成される端末網制御装置。
【請求項４】
請求項１〜３のいずれか１項記載の端末網制御装置の制御手段の少なくとも一部としてコンピュータを機能させるためのプログラムから構成される端末網制御装置。
【発明の詳細な説明】
【０００１】
【発明の属する技術分野】
本発明はアナログ電話回線に接続して使用する端末網制御装置の端末発呼動作において、アナログ回線以外の回線に接続した場合の障害を軽減するよう動作する端末網制御装置に関するものである。
【０００２】
【従来の技術】
従来のこの種の端末網制御装置は電気や水道等の使用量をセンターから遠隔検針を行う自動検針システムに使用される。その多くはアナログ電話回線に接続され、メータからの指示により端末網制御装置がセンターにダイヤルし回線を接続して検針データを送出する端末発呼通信を使用する方法や、センターからノーリンギングサービスで端末網制御装置と接続して通信を行うポーリング通信を使用している。また、センターに端末発呼通信する前に電話機が使用されていないかどうか、すなわちオフフックしていないかどうかを電話回線の電圧で監視し、オフフック状態でなければ端末発呼通信動作を行うように構成している（例えば、特許文献１参照）。
【０００３】
図８において、１は端末網制御装置であり、端子１ａ，端子１ｂは電話回線２に接続される。電話回線２の先には図示はしないがセンター装置が接続されノーリンギング通信や、端末網制御装置１側からの端末発呼通信が行われる。３はダイオードブリッジであり端子１ａ，１ｂと電話回線２との接続を無極性にしている。４は閉結制御手段であり動作時には５０〜３００Ωの直流抵抗となり電話回線２を閉結状態にする。５は半閉結制御手段であり、データ通信時の交流インピーダンスや、ノーリンギング通信時の直流インピーダンスの整合を行う。７は回線電圧検出手段であり、電話回線電圧と予め設定された所定との比較結果を出力する。また、８はモデム手段であり電話回線からのデータの復調や、送信データの変調を行う。更に、９は制御手段であり図示はしないがマイクロコンピュータを備えており、閉結制御手段４、半閉結制御手段５、回線電圧検出手段７、モデム手段８の動作を制御する。また、制御手段９は外部からのデータ入力端子１ｃからの入力を処理するよう構成されている。
【０００４】
【特許文献１】
特開平０８−２２３３１２号公報
【０００５】
【発明が解決しようとする課題】
しかしながら上記従来のように端末発呼通信を行う前に回線電圧を確認した場合は電話機のオフフックには対応可能であるが、端末網制御装置を誤ってデジタル回線に接続した場合に閉結制御手段が動作すると過大な電流が回路に流れて回路を損傷することがある。アナログ電話回線では交換機からの直流抵抗が４００Ω以上あるため、閉結制御手段が動作した時の電流制限が働くが、デジタル回線の場合には回線のインピーダンスが低くなっている。更に、閉結制御手段の電流容量を増加するためには大電力の回路素子が必要となりコストアップを招いていた。
【０００６】
【課題を解決するための手段】
本発明はこのような従来の課題を解決するもので、電話回線の電圧を検出する回線電圧検出手段と、閉結動作動作開始直後の回線電圧を監視する閉結動作監視手段を備えたものである。上記発明によれば、閉結制御手段の回路の電力容量を増加させることなく、デジタル回線への誤接続に対応する端末網制御装置を提供することをが可能になる。
【０００７】
【発明の実施の形態】
本発明の請求項１にかかる端末網制御装置は、少なくとも電話回線との間で送信信号の変調と受信信号の復調を行うモデム手段と、前記電話回線の直流インピーダンスを閉結状態にする閉結制御手段と、前記電話回線の電圧を監視する回線電圧検出手段を備え、前記閉結制御手段動作時に前記回線電圧検出手段の電圧が予め設定された所定の電圧に低下したことを検出することで前記閉結制御動作手段の動作を継続させ、前記回線電圧検出手段の電圧が前記所定の電圧に低下していない場合は前記閉結制御動作手段の動作を中断する閉結動作監視手段を有するものである。
【０００８】
そして、端末発呼通信開始時など閉結制御手段の動作時に回線電圧が所定値以下にならなければデジタル回線と判断し端末発呼通信動作など閉結制御手段の動作を中断することができ、端末網制御装置の損傷を避けることが可能となる。
【０００９】
本発明の請求項２にかかる端末網制御装置は、前記回線電圧検出手段の所定電圧の設定値を可変可能に設定する検出レベル選択手段を有するものである。
【００１０】
そして、回線電圧検出レベルを切り替えることにより、ＰＢＸなどの電圧が低いものに対応した端末網制御装置を提供することが可能になる。
【００１１】
本発明の請求項３にかかる端末網制御装置は、少なくとも電話回線との間で送信信号の変調と受信信号の復調を行うモデム手段と、前記電話回線の直流インピーダンスを閉結状態にする閉結制御手段と、前記閉結制御手段の動作前後の前記電話回線の電圧差を監視する回線電圧差検出手段を備え、前記閉結制御手段動作時に前記回線電圧差検出手段の電圧差が予め設定された所定電圧以上を検出することで前記閉結制御動作手段の動作を継続させ、前記回線電圧差検出手段の電圧差が前記所定の電圧以下の場合は前記閉結制御動作手段の動作を中断する閉結動作監視手段を有するものである。
【００１２】
そして、端末発呼通信開始など閉結制御手段の動作前後の回線電圧を監視することにより、アナログ電話回線では閉結制御動作手段が動作することにより端末発呼通信を可能とし、デジタル回線やデジタルＰＢＸなどに接続した場合には閉結制御手段の動作を中断させることが可能となり、閉結制御手段が電流容量を小さくすることが可能となる。
【００１３】
本発明の請求項４にかかるプログラムは、請求項１〜３のいずれか１項記載の端末網制御装置の手段の少なくとも一部をコンピュータに実行させるためのプログラムである。
【００１４】
そして、プログラムであるのでマイコン等を用いて本発明の端末網制御装置の少なくとも一部を容易に実現することができる。また記録媒体に記録したり通信回線を用いてプログラムを配信したりすることでプログラムの配布やインストール作業が簡単にできる。
【００１５】
【実施例】
以下、本発明の実施例について図面を用いて説明する。
【００１６】
（実施例１）
図１は本発明の実施例１の無線データ収集システムを示すブロック図である。
【００１７】
図１において、１は端末網制御装置であり、端子１ａ，端子１ｂは電話回線２に接続される。電話回線２の先には図示はしないがセンター装置が接続されノーリンギング通信や、端末網制御装置１側からの端末発呼通信が行われる。３はダイオードブリッジであり端子１ａ，１ｂと電話回線２との接続を無極性にしている。４は閉結制御手段であり動作時には５０〜３００Ωの直流抵抗となり電話回線２を閉結状態にする。５は半閉結制御手段であり、データ通信時の交流インピーダンスや、ノーリンギング通信時の直流インピーダンスの整合を行う。７は回線電圧検出手段であり、電話回線電圧と予め設定された所定値との比較結果を出力する。また、８はモデム手段であり電話回線からのデータの復調や、送信データの変調を行う。更に、９は制御手段であり図示はしないがマイクロコンピュータを備えており、閉結制御手段４、半閉結制御手段５、回線電圧検出手段７、モデム手段８の動作を制御する。また、制御手段９には回線電圧検出手段７からのデータにより閉結動作を継続するか中断するかの判断を行うマイクロコンピュータで行う閉結動作監視手段１０を備えている。また、制御手段９は外部からのデータ入力端子１ｃからの入力を処理するよう構成されている。
【００１８】
図２は本発明の実施例１における要部波形図を示す。制御手段９はデータ入力端子１ｃから端末発呼要求のデータを受けると、端末網制御装置１を端末発呼動作に入れるために波形（２−１）で示すように時刻ｔ１で閉結制御手段４へ動作信号を出力する。この場合ハイレベルで閉結制御手段４が閉結状態になるよう構成されている。閉結制御手段４が閉結状態になると回線電圧は波形（２−２）で示すように電圧が低下する。回線電圧検出手段７は予め設定されていた電圧（波形（２−２）のａ）より回線電圧が低下すると、制御手段９へ図２の（２−３）で示す波形を出力する。この場合、回線電圧が設定電圧より低くなるとハイレベルとなるよう構成されている。時刻ｔ２で閉結動作監視手段が波形（２−３）のレベルを判断しハイレベルであれば閉結状態を継続させるように動作する。通常、この後にセンターとのデータ通信を行い端末発呼通信を行う。
【００１９】
図３は本発明の実施例１における要部波形図を示す。制御手段９はデータ入力端子１ｃから端末発呼要求のデータを受けると、端末網制御装置１を端末発呼動作に入れるために波形（３−１）で示すように時刻ｔ１で閉結制御手段４へ動作信号を出力する。閉結制御手段４が閉結状態になると回線電圧は波形（３−２）で示すように電圧が低下する。回線電圧検出手段７は予め設定されていた電圧（波形（３−２）のａ）より回線電圧が低下しなければ、制御手段９へ図３の（３−３）で示す波形を出力する。この場合、回線電圧が設定電圧より低くならないためロウレベルとなるよう構成されている。時刻ｔ２で閉結動作監視手段が波形（３−３）のレベルを判断しロウレベルであれば閉結状態を中断するよう、閉結制御手段４への出力を波形（３−１）に示すようにロウレベルにするように動作する。
【００２０】
以上のように、閉結動作開始後に電話回線の電圧を監視することにより、回線の直流インピーダンスが低いデジタル回線などへの誤接続時に直ぐに閉結制御手段の動作を停止させ、回路への障害を低減することが可能となる。
【００２１】
また、回線電圧検出手段７は制御手段９のマイクロコンピュータに内蔵したＡ／Ｄ変換機能を使用しても実施が可能である。
【００２２】
（実施例２）
図４は本発明の実施例２の無線データ収集システムを示すブロック図である。
【００２３】
図４において、１は端末網制御装置であり、端子１ａ，端子１ｂは電話回線２に接続される。電話回線２の先には図示はしないがセンター装置が接続されノーリンギング通信や、端末網制御装置１側からの端末発呼通信が行われる。３はダイオードブリッジであり端子１ａ，１ｂと電話回線２との接続を無極性にしている。４は閉結制御手段であり動作時には５０〜３００Ωの直流抵抗となり電話回線２を閉結状態にする。５は半閉結制御手段であり、データ通信時の交流インピーダンスや、ノーリンギング通信時の直流インピーダンスの整合を行う。７は回線電圧検出手段であり、電話回線電圧と予め設定された所定値との比較結果を出力する。また、８はモデム手段であり電話回線からのデータの復調や、送信データの変調を行う。更に、９は制御手段であり図示はしないがマイクロコンピュータを備えており、閉結制御手段４、半閉結制御手段５、回線電圧検出手段７、モデム手段８の動作を制御する。また、制御手段９には回線電圧検出手段７からのデータにより閉結動作を継続するか中断するかの判断を行うマイクロコンピュータで行う閉結動作監視手段１０を備えている。また、制御手段９は外部からのデータ入力端子１ｃからの入力を処理するよう構成されている。更に、回線電圧検出手段７の判定電圧を設定可能にする検出レベル選択手段１１を備えている。
【００２４】
ＰＢＸなどでは回線電圧が通常のアナログ電話回線とは異なることが多く、これらＰＢＸに対応するため検出レベル選択手段１１により図２の波形（２−２）や、図３の波形（３−２）で示す検出電圧ａの値を変化できるように動作する。
【００２５】
以上のように、回線電圧の検出電圧を選択可能にすることにより、異なった電話回線に対応する端末網制御装置を提供することが可能になる。
【００２６】
（実施例３）
図５は本発明の実施例１の無線データ収集システムを示すブロック図である。
【００２７】
図５において、１は端末網制御装置であり、端子１ａ，端子１ｂは電話回線２に接続される。電話回線２の先には図示はしないがセンター装置が接続されノーリンギング通信や、端末網制御装置１側からの端末発呼通信が行われる。３はダイオードブリッジであり端子１ａ，１ｂと電話回線２との接続を無極性にしている。４は閉結制御手段であり動作時には５０〜３００Ωの直流抵抗となり電話回線２を閉結状態にする。５は半閉結制御手段であり、データ通信時の交流インピーダンスや、ノーリンギング通信時の直流インピーダンスの整合を行う。１２は回線電圧差検出手段であり、閉結動作前の電話回線電圧と閉結動作後の電話回線電圧の変化量と予め設定された所定値との比較結果を出力する。また、８はモデム手段であり電話回線からのデータの復調や、送信データの変調を行う。更に、９は制御手段であり図示はしないがマイクロコンピュータを備えており、閉結制御手段４、半閉結制御手段５、回線電圧検出手段７、モデム手段８の動作を制御する。また、制御手段９には回線電圧差検出手段１２からのデータにより閉結動作を継続するか中断するかの判断を行うマイクロコンピュータで行う閉結動作監視手段１０を備えている。また、制御手段９は外部からのデータ入力端子１ｃからの入力を処理するよう構成されている。
【００２８】
図６は本発明の実施例３における要部波形図を示す。制御手段９はデータ入力端子１ｃから端末発呼要求のデータを受けると、端末網制御装置１を端末発呼動作に入れるために波形（６−１）で示すように時刻ｔ１で閉結制御手段４へ動作信号を出力する。この場合ハイレベルで閉結制御手段４が閉結状態になるよう構成されている。閉結制御手段４が閉結状態になると回線電圧は波形（６−２）で示すように電圧が低下する。回線電圧差検出手段１２は電圧ａと電圧ｂの幅が予め設定されていた電圧幅より大きいと、制御手段９へ図６の（６−３）で示す波形を出力する。この場合、回線電圧変化が設定値より大きくなるとハイレベルとなるよう構成されている。時刻ｔ２で閉結動作監視手段が波形（６−３）のレベルを判断しハイレベルであれば閉結状態を継続させるように動作する。通常、この後にセンターとのデータ通信を行い端末発呼通信を行う。
【００２９】
図７は本発明の実施例３における要部波形図を示す。制御手段９はデータ入力端子１ｃから端末発呼要求のデータを受けると、端末網制御装置１を端末発呼動作に入れるために波形（７−１）で示すように時刻ｔ１で閉結制御手段４へ動作信号を出力する。閉結制御手段４が閉結状態になると回線電圧は波形（７−２）で示すように電圧が低下する。回線電圧差検出手段１２は予め設定されていた電圧幅より小さければ、制御手段９へ図７の（７−３）で示す波形を出力する。この場合、回線電圧変化が設定値より大きくならないためロウレベルとなるよう構成されている。時刻ｔ２で閉結動作監視手段が波形（７−３）のレベルを判断しロウレベルであれば閉結状態を中断するよう、閉結制御手段４への出力を波形（７−１）に示すようにロウレベルにするように動作する。
【００３０】
以上のように、閉結動作開始後に電話回線の電圧を監視することにより、電話回線の電圧に影響されることなく電話回線の直流インピーダンスを検出でき、デジタル回線などへの誤接続時に直ぐに閉結制御手段の動作を停止させ、回路への障害を低減することが可能となる。
【００３１】
また、回線電圧差検出回路１２は制御手段９のマイクロコンピュータのＡ／Ｄ機能を使用して構成することも可能である。
【００３２】
【発明の効果】
以上説明したように本発明によれば、端末発呼通信開始の前後の回線電圧を監視することにより、アナログの電話回線か使用できないデジタル回線やＰＢＸの判断が行えるため、誤接続による端末網制御装置の損傷などを防ぐことが可能となる。
【図面の簡単な説明】
【図１】本発明の端末網制御装置の要部ブロック図
【図２】本発明の実施例１における要部波形図
【図３】本発明の実施例１における要部波形図
【図４】本発明の実施例２における端末網制御装置の要部ブロック図
【図５】本発明の実施例３における端末網制御装置の要部ブロック図
【図６】本発明の実施例３における要部波形図
【図７】本発明の実施例３における要部波形図
【図８】従来の端末網制御装置の要部ブロック図
【符号の説明】
１  端末網制御装置
２  電話回線
３  ダイオードブリッジ
４  閉結制御手段
５  半閉結制御手段
７  回線電圧検出手段
８  モデム手段
９  制御手段
１０  閉結動作監視手段
１１  検出レベル選択手段
１２  回線電圧差検出手段
【図１】
2004253857.tif 000003
【図２】
2004253857.tif 000004
【図３】
2004253857.tif 000005
【図４】
2004253857.tif 000006
【図５】
2004253857.tif 000007
【図６】
2004253857.tif 000008
【図７】
2004253857.tif 000009
【図８】
2004253857.tif 000010